【手続補正書】
【提出日】平成22年8月4日(2010.8.4)
【手続補正１】
【補正対象書類名】明細書
【補正対象項目名】発明の名称
【補正方法】変更
【補正の内容】
【発明の名称】圧力レギュレータのための制御アッセンブリ及び該圧力レギュレータ
【手続補正２】
【補正対象書類名】明細書
【補正対象項目名】００２２
【補正方法】変更
【補正の内容】
【００２２】
このように、図示する如く、前記中央ロッド186の第２のねじ端186bは、前記スリーブ130の内部へと延び、該スリーブ130の第２の端部130bの付近に位置する。１組の保持ナット198a、198bが、前記中央ロッド186の第２のねじ端186bにねじ込まれている。  前記保持ナット198a、198bが、第１のスプリング・シート188、スプリング193、および第２のスプリング・シート190を中央ロッド186上に支持している。  前記第１のスプリング・シート188は、さらに詳しく後述されるように、前記スリーブ130内にスライド可能に配置されている。より具体的には、この第１のスプリング・シート188は、前記保持ナット198a、198bに当接した概ね円柱形の板を備えている。  したがって、前記スプリング193が、第２のスプリング・シート190を保持プレート192に対して固定し、そして、前記スリーブ130に相対的に固定する。さらに、前記第１のスプリング・シート188は、前記中央ロッド186に対して固定され、前記中央穴188aおよび複数の開口188bを有する。  前記中央穴188aが、前記保持ナット198a、198bの直近の中央ロッド186の第２の端部186bを受容している。
【手続補正３】
【補正対象書類名】明細書
【補正対象項目名】００３０
【補正方法】変更
【補正の内容】
【００３０】
位置決め装置アセンブリ138を適切に蓄勢した状態で、スリーブ130の外周フランジ40が、ダイアフラム・プレート136a、136bと組み合わせられ、スリーブ130の下部130bが、下側アクチュエータ・ケーシング124のネック128の中へと配置される。次いで、上側アクチュエータ・ケーシング122が、中央ロッド186の第１のねじ端186aが中央穴123を貫いて位置するように、下側アクチュエータ・ケーシング124へと配置される。次いで、技術者または技師は、ねじ固定具119によって上側アクチュエータ・ケーシング122を下側アクチュエータ・ケーシング124と固定することができる。最後に、技術者または技師は、外ナット194を中央ロッド186の第１のねじ端186aに締め込む。このように外ナット194を締め込むことによって、中央ロッド186が引っ張られ、したがって中間ナット196および第１のスプリング・シート188が、図２に示したレギュレータ100の向きに関して上方へと引き寄せられる。外ナット194および中間ナット196が、図示のとおりに上側アクチュエータ・ケーシング122を挟み込む。このように構成されることで、外ナット194および中間ナット196が、上側アクチュエータ・ケーシング122に対して軸方向に変位することがないように中央ロッド186を固定する。さらに、保持ナット198a、198bが、図２に図示するように、レギュレータ100の向きに関して、軸方向下向きに変位することがないように第１のスプリング・シート188を固定する。
【手続補正４】
【補正対象書類名】明細書
【補正対象項目名】００６０
【補正方法】変更
【補正の内容】
【００６０】
一方、第２の制御導入口229 の圧力とスプリング293 の組み合わさった力が、第１の制御導入口225 の圧力よりも大きな力として制御アセンブリ214 へ作用した場合、制御アセンブリ214 が、図４に示されている開位置へ向かって上方に変位する。より具体的には、制御アセンブリ214 のスリーブ230、ダイアフラム・プレート236a、236b、および保持プレート292、ならびに位置決め装置アセンブリ238 の中央ロッド286 および第１のスプリング・シート288 が、図４に示されている位置へと変位する。ダイアフラム・サブアセンブリ233 に作用する上向きの力の積算された値は、制御圧力として機能する第１の制御導入口225 の圧力の値によって対抗され、下流の需要を満たすために必要な流れに応じて、スリーブ230 を含む制御アセンブリ214 を位置させる。加えて、例えばダイアフラム素材の破れによってダイアフラム234 が不良となった場合には、位置決め装置アセンブリ238 のスプリング293 が第１のスプリング・シート288 に力を加え、第１のスプリング・シート288 が中央ロッド286 および保持プレート292 に力を加えて、制御アセンブリ214 のスリーブ230 を図４に示されている開位置へと押し戻す。
【手続補正５】
【補正対象書類名】特許請求の範囲
【補正対象項目名】全文
【補正方法】変更
【補正の内容】
【特許請求の範囲】
【請求項１】
レギュレータの流路を通過する流体の流れを調節するための制御アセンブリであって、
該制御アセンブリが、
制御部材と、
前記レギュレータのケーシングを貫いて配置されるように構成された中央ロッドと、
前記中央ロッドを受け入れる穴を有し、該中央ロッドに対して固定される第１のスプリング・シートと、
前記中央ロッドを受け入れる穴を有し、前記レギュレータのケーシングおよび前記制御部材のいずれか一方に対して固定される第２のスプリング・シートと、
前記第１のスプリング・シートと第２のスプリング・シートとの間に配置され、前記制御部材を前記レギュレータのケーシングに対して所定の位置へ向けて付勢するスプリングと、
を有する。
【請求項２】
前記第１のスプリング・シート、第２のスプリング・シート、および前記スプリングが、前記制御部材の外側に配置されている請求項１に記載の制御アセンブリ。
【請求項３】
前記第２のスプリング・シートが、前記レギュレータのケーシングに対して固定されている請求項１又は２に記載の制御アセンブリ。
【請求項４】
前記制御部材および中央ロッドに対して固定された保持プレートを、さらに備えている請求項１〜３のいずれか１の項に記載の制御アセンブリ。
【請求項５】
前記保持プレートは、レギュレータの流路に配置されるとともに、流路に流体的に連通する開口を有している請求項４に記載の制御アセンブリ。
【請求項６】
前記制御部材が、前記レギュレータの流路に流体的に連通するように構成された中央穴を有しており、前記第１のスプリング・シート、前記第２のスプリング・シート、および前記スプリングが、前記中央穴の内側に配置されている請求項１〜５のいずれか１の項に記載の制御アセンブリ。
【請求項７】
前記第２のスプリング・シートは、前記制御部材に対して相対的に固定され、前記中央ロッドに対してスライド可能に配置されている請求項１〜６のいずれか１の項に記載の制御アセンブリ。
【請求項８】
前記第１のスプリング・シートおよび前記第２のスプリング・シートのそれぞれが、前記レギュレータの流路に流体的に連通する開口を有する請求項１〜７のいずれか１の項に記載の制御アセンブリ。
【請求項９】
前記スプリングが前記中央ロッドの周囲に配置されていることを特徴とする請求項１〜８のいずれか１の項に記載の制御アッセンブリ。
【請求項１０】
前記中央ロッドの少なくとも一部が前記制御部材内に位置していることを特徴とする請求項１〜９のいずれか１の項に記載の制御アッセンブリ。
【請求項１１】
流体のための流路を定めているバルブ・ボディと、
前記バルブ・ボディに接続されたアクチュエータ・ケーシングと、
前記請求項１〜１０のいずれか１の項に記載の制御アッセンブリとを備えたレギューレータ。
【請求項１２】
前記バルブ・ボディによって保持されたバルブ・シートをさらに備えており、
前記スプリングが、前記制御部材をこのバルブ・シートから離れるように付勢する請求項１１に記載のレギュレータ。